Podtech/llm-jp-corpus-v4-ja_patent huggingface dataset:
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
患者の脊柱をサポートするために設計された脊椎骨接合材料のロッドの湾曲を生成する方法であって、前記方法が：
治療されるべき患者の脊柱の矢状方向手術前Ｘ線を撮るステップ；
前記矢状方向手術前Ｘ線に関して：
少なくとも１つの骨盤パラメータ、
腰椎前彎、
尖端腰椎の位置、
以下の測定値の少なくとも１つ：
仙骨又はＳ１の第１脊椎のプレートの後の上部点の垂直線から第７頸椎の中心を通過する垂直線までのＳＶＡ距離；
前記Ｓ１のプレートの後の上部点の垂直線から大腿骨頭部の中心を通過する垂直線までのＳＦＤ距離；又は
第１胸椎の中心又はＴ１から前記大腿骨頭部の中心に向かうセグメントとＴ１の中心に対する垂直線との間に形成されるＴ１／ＳＰＩ角度；
前記患者の脊柱の湾曲を規定する点群であって、前記点群は、影響を受けた脊椎の上方プレートの中心に配置される、脊椎レベルあたり１点および注記された手術前尖端を規定する点を含む点群を識別するステップ；
所定の脊柱形態型の間で治療された脊柱が対応する形態型を導き出し、かつそこから補正を施した後に所望の手術後尖端点を導き出し、かつ前記脊柱に固定されるべき脊椎ロッドに対して固定部材が埋め込まれる前記脊柱を規定するステップ；
前記患者の脊柱のワイヤモデリングを行うステップ；
前記少なくとも１つの骨盤パラメータから、前記Ｓ１のプレートで中心におかれ、起点がそのプレートの中心点である基準を規定するステップ；
各脊椎に付属する前記点群の異なる点を配置し、かつ少なくとも１つの弧の一部が互いに接し、かつＳ１から伸びる弧が前記Ｓ１のプレートに対して垂直な直線に接する、識別された点の間に前記少なくとも１つの弧を描画するステップ；
前記少なくとも１つの弧の長さの値を決定するステップ；
治療されるべき腰椎セグメントに適用されるべき前記補正をシミュレーションするステップであって、前記補正をシミュレーションするステップは：
所望の手術後尖端点に接する直線を描画し、前記直線に付属する弧が前記所望の手術後尖端点に接し、前記所望の手術後尖端点がモデル化された脊柱セグメントの尖端点になるように再配置されるように、前記直線を垂直位置へ移動するステップ；
前記尖端点より上の一方および尖端点より下のもう一方の、２つの異なる湾曲を得るように、互いに共半径方向に前記尖端点より下に位置する前記少なくとも１つの弧を規定し、かつ互いに共半径方向に前記尖端点より上に位置する前記少なくとも１つの弧を規定するステップ；
骨盤傾斜角の１０度以内として前記腰椎前彎を規定し、かつ
５ｃｍより小さいＳＶＡ距離、
−１．９と＋０．１の間のＳＶＡ／ＳＦＤ比率であって、前記ＳＶＡ／ＳＦＤ比率は、前記大腿骨頭部の方へ位置する前記Ｓ１のプレートの後の上部点の垂直線の側で正であり、かつ前記大腿骨頭部の反対側に位置する垂直線の側で負である、ＳＶＡ／ＳＦＤ比率、及び
−９°と０°の間のＴ１／ＳＰＩ角度であって、前記Ｔ１／ＳＰＩ角度は前記大腿骨頭部の方へ位置するＴ１の中心の垂直線の側で負であるＴ１／ＳＰＩ角度のうち少なくとも１つを規定するステップ；
２つの弧が、治療されるべき前記脊柱の前記補正を得るために、前記埋め込まれるべきロッドの理想的な湾曲を代表する湾曲セグメントを形成する、前記尖端点より上の湾曲と前記尖端点より下の湾曲に同軸の２つの弧を規定するステップ；                                                                        
前記湾曲セグメントの位置が、一旦埋め込まれたならば前記ロッドが取る位置に対応するように、治療されるべき前記脊柱の前記脊椎に前記ロッドを固定するための、固定部材の固定点に前記脊椎の中心から向かう評価平均距離にわたって前記脊柱の平均線から離れて前記湾曲セグメントを変形させるステップ；
前記埋め込まれるべきロッドの直径を規定するステップ；
前記湾曲セグメントに沿って湾曲する前記ロッドの二次元または三次元モデルを規定するステップ；および
直線ロッドから、前記モデルに従って前記ロッドの湾曲を生成するステップを含む方法。
【請求項２】
請求項１に記載の方法であって、前記所定の脊柱形態型が：
−前記尖端がＬ５（第５腰椎）の正中面に位置し、かつＳＳ判定基準が３５°より小さい角度に対応する、タイプ１形態型；
−前記尖端がＬ４（第４腰椎）の基部に位置し、かつＳＳ判定基準が３５°より小さい角度に対応する、タイプ２形態型；
−前記尖端がＬ４の正中面に位置し、かつＳＳ判定基準が３５°と４５°の間に含まれる角度に対応する、タイプ３形態型；
−前記尖端がＬ３（第３腰椎）の基部に位置し、かつＳＳ判定基準が４５°より大きな角度に対応する、タイプ４形態型を含む、方法。
【請求項３】
前記二次元または三次元モデリングが、前記生成されるべきロッドの描画または平面図を確立するステップを含む、請求項１又は２に記載の方法。
【請求項４】
前記ロッドの前記湾曲が、常温曲げによって生成される、請求項１〜３のいずれか１項に記載の方法。
【請求項５】
前記生成されるべきロッドに関連するデータが、前記ロッドの前記湾曲を生成する役割を果たすサービス提供者へ転送される、請求項１〜４のうちいずれか１項に記載の方法。
【請求項６】
前記少なくとも１つの骨盤パラメータが、仙骨傾斜角、骨盤回転、又は骨盤形態角のうち少なくとも１つを含む、請求項１〜５のうちいずれか１項に記載の方法。
【請求項７】
前記尖端腰椎が、前記矢状方向手術前Ｘ線の最遠前方へ位置する、請求項１〜６のいずれか１項に記載の方法。
【請求項８】
前記脊柱の矢状方向手術前Ｘ線が、前記頸椎から前記大腿骨頭部まで伸びる、請求項１〜７のいずれか１項に記載の方法。
【請求項９】
前記患者の脊柱のワイヤモデリングが、ＣＡＤソフトウェアを使用して行われる、請求項１〜８のいずれか１項に記載の方法。
【手続補正書】
【提出日】平成29年9月7日(2017.9.7)
【手続補正１】
【補正対象書類名】特許請求の範囲
【補正対象項目名】請求項１
【補正方法】変更
【補正の内容】
【請求項１】
座席ユニットであって、
互いに対向して配置された２つの座席であり、前記座席ユニットの縦軸に関して横方向に互いに略位置合わせされている２つの座席と、
前記２つの座席の間に置かれた仕切りとを備え、
前記仕切りは、２つの足元空間であって、各足元空間の開口部に当該足元空間の開口部に対向する前記２つの座席のうちの一方の座席に着座した乗客がアクセスできるように反対方向を向いて配置された２つの足元空間を有し、
前記２つの座席の各々は、背もたれ、ヘッドレスト、及びシートパンを有し、シート位置とベッド位置との間で変換するように構成されている座席ユニット。
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
インサート周囲面によって接続される、互いに対向するインサート上面および基面と、前記インサート基面に隣接し、かつ第１および第２のインサート当接面およびインサートアクチュエータ面を含むインサートの蟻継ぎ式滑り止め配置構成とを含む、切削インサートであって；前記第１のインサート当接面は、前記インサート基面と外角で鋭角な第１の蟻角を形成する第１の蟻継ぎ部分を含み；前記第２のインサート当接面は、前記インサート基面と外角で鋭角な第２の蟻角を形成する第２の蟻継ぎ部分を含み；前記インサート基面に対して垂直方向から見た目においては、前記第１の蟻継ぎ部分は、前記第２の蟻継ぎ部分よりも長く、かつそれとは非平行であり；前記切削インサートは中実構成を有し、片面の切削インサートであり；前記切削インサートの切刃は、前記インサート上面と前記インサート周囲面との間の交差点に沿ってのみ延在する、切削インサート。
【請求項２】
前記インサート基面に対して垂直方向から見た目においては、前記第１の蟻継ぎ部分が、前記第２の蟻継ぎ部分の少なくとも２倍の長さである、請求項１に記載の切削インサート。
【請求項３】
前記インサート基面に対して垂直方向から見た目においては、前記第１の蟻継ぎ部分は、前記第２の蟻継ぎ部分の長さの４倍未満である、請求項１または２に記載の切削インサート。
【請求項４】
前記切れ刃は、コーナ刃部分の異なる側から延在する第１および第２の切れ刃部分を含み；前記第１の切れ刃部分は、前記第２の切れ刃部分よりも長く、および、前記インサート基面に対して垂直方向から見た目においては、前記第１の蟻継ぎ部分と３０°以下の角度を形成する、請求項１〜３のいずれか１項に記載の切削インサート。
【請求項５】
前記インサート基面に対して垂直方向から見た目においては、第１の基面幅が、前記第１の蟻継ぎ部分と、前記インサート基面と前記インサート周囲面との間の交差点に沿って延在する周囲基面縁の隣接部分との間で測定可能であり、および全体的な基面幅が、前記第１の基面幅に平行にかつそれと重なり合って、および前記インサート基面の対向する周囲基面縁間に延在して、測定可能であり；および前記第１の基面幅の大きさは、前記全体的な基面幅の大きさの２３％以上である、請求項１〜４のいずれか１項に記載の切削インサート。
【請求項６】
前記第１の基面幅の大きさが、前記全体的な基面幅の大きさの３３％以上である、請求項１〜５のいずれか１項に記載の切削インサート。
【請求項７】
前記切削インサートが、きっかり４つのインサート当接面を有する、請求項１〜６のいずれか１項に記載の切削インサート。
【請求項８】
前記インサート基面から隆起が突出し、および前記インサートの蟻継ぎ式滑り止め配置構成の全ての面が、前記隆起に形成されている、請求項１〜７のいずれか１項に記載の切削インサート。
【請求項９】
前記インサート基面に対して垂直方向から見た目においては、前記インサート基面は、前記滑り止め配置構成を完全に取り囲み、および前記インサート基面と前記インサート周囲面との交差点に沿って延在する前記周囲基面縁に沿った任意の点と、前記滑り止め配置構成の隣接する面との間の最小基面幅は、前記第１の蟻継ぎ部分と周囲基面縁の隣接部分との間で測定可能である第１の基面幅の少なくとも６５％である、請求項１〜８のいずれか１項に記載の切削インサート。
【請求項１０】
前記インサートアクチュエータ面が、前記インサート基面に対して垂直に延在する、請求項１〜９のいずれか１項に記載の切削インサート。
【請求項１１】
前記インサート基面に対して垂直方向から見た目においては、前記第１の蟻継ぎ部分は、前記インサートアクチュエータ面の長さの少なくとも２倍である、請求項１〜１０のいずれか１項に記載の切削インサート。
【請求項１２】
前記インサートアクチュエータ面が平面的である、請求項１〜１１のいずれか１項に記載の切削インサート。
【請求項１３】
前記インサート基面に対して垂直方向から見た目においては、前記インサートアクチュエータ面が、前記第１の蟻継ぎ部分のみに対向する方向に面している、請求項１〜１２のいずれか１項に記載の切削インサート。
【請求項１４】
前記第１および第２の蟻角が、前記インサート基面と相俟って、５０°〜８０°の外角を形成する、請求項１〜１３のいずれか１項に記載の切削インサート。
【請求項１５】
前記切削インサートの重量が、２〜６グラムである、請求項１〜１４のいずれか１項に記載の切削インサート。
【請求項１６】
前記切削インサートは、貫通孔を持っていない、請求項１〜１５のいずれか１項に記載の切削インサート。
【請求項１７】
前記切削インサートが、前記インサート基面に垂直に、かつ前記インサート基面とこの基面から最も遠位の前記インサート上面上の点との間で測定される、切削部分高さを含み、および前記切削インサートの重心は、前記インサート基面から前記切削部分高さの１２％〜３０％に配置される、請求項１〜１６のいずれか１項に記載の切削インサート。
【請求項１８】
切削部分高さが、前記インサート基面に垂直に、かつ前記インサート基面とこの基面から最も遠位の前記インサート上面の最上点との間で、測定可能であり；滑り止め配置構成高さが、前記インサート基面から、前記インサート上面から離れる方向に前記切削インサートの最も遠位の最下点まで、前記切削部分高さと平行に測定可能であり；および前記切削部分高さの大きさは、前記滑り止め配置構成高さの大きさよりも大きい、請求項１〜１７のいずれか１項に記載の切削インサート。
【請求項１９】
切削部分高さが、前記インサート基面に対して垂直に、かつ前記インサート基面とこの基面から最も遠位の前記インサート上面の最上点との間で、測定可能であり；蟻継ぎ高さが、前記インサート基面に対して垂直に、かつ前記インサート基面から、前記切削インサートの前記蟻継ぎ部分の最も遠位の最下点まで、測定可能であり；および前記蟻継ぎ高さの大きさは、前記切削部分高さの７０％未満である、請求項１〜１８のいずれか１項に記載の切削インサート。
【請求項２０】
前記蟻継ぎ高さは、前記切削部分高さの３０％超である、請求項１〜１９のいずれか１項に記載の切削インサート。
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
神経の損傷の治療のための医薬組成物であって、少なくとも１０〜２２個のアルギニン残基を含む長さ１０〜３２アミノ酸残基の単離ペプチドを有効成分として含有する医薬組成物。
【請求項２】
前記単離ペプチドは少なくとも６０％のアルギニン含量を有する、請求項１に記載の医薬組成物。
【請求項３】
前記単離ペプチドは少なくとも８０％のアルギニン残基含量を有する、請求項２に記載の医薬組成物。
【請求項４】
前記単離ペプチドは１０〜１８個のアルギニン残基を含むポリアルギニンペプチドである、請求項１に記載の医薬組成物。
【請求項５】
前記単離ペプチドは、配列番号７、８、９、１０、１１、１２、１３、１６、３０、３１、３２、３３、３４、３５、３６、３７、並びに神経保護活性を有するこれらの機能性フラグメント及びアナログからなる群から選択されるペプチドのうちのいずれか１つ以上を含む、請求項１〜４のいずれか１項に記載の医薬組成物。
【請求項６】
前記単離ペプチドは、少なくとも４個連続したアルギニン残基を含む少なくとも１個のポリアルギニンセグメントを含んでいる、請求項１〜５のいずれか１項に記載の医薬組成物。
【請求項７】
前記単離ペプチドは、少なくとも４個連続したアルギニン残基をそれぞれ含む少なくとも２個のポリアルギニンセグメントを含んでいる、請求項６に記載の医薬組成物。
【請求項８】
前記単離ペプチドはプロタミン誘導体の混合物を含む、請求項１〜４のいずれか１項に記載の医薬組成物。
【請求項９】
前記プロタミン誘導体の混合物は硫酸プロタミンを含む、請求項８に記載の医薬組成物。
【請求項１０】
前記単離ペプチドは、細胞のエンドサイトーシスのプロセスに影響を及ぼすか；細胞表面の受容体の機能に影響を及ぼして細胞内カルシウム流入の低減をもたらすか；ミトコンドリア外膜との相互作用及びミトコンドリア外膜の安定化のうち少なくともいずれか一方を行ってミトコンドリアの機能を維持するか；又は、カルシウム依存性プロタンパク質転換酵素フューリンを阻害するか、ダウンレギュレーションするか、若しくはそれに影響を及ぼす、請求項１〜９のいずれか１項に記載の医薬組成物。
【請求項１１】
前記単離ペプチドは合成ペプチドである、請求項１〜１０のいずれか１項に記載の医薬組成物。
【請求項１２】
前記単離ペプチドはＤ−アルギニン残基で構成されている、請求項１〜１１のいずれか１項に記載の医薬組成物。
【請求項１３】
長さ１０〜３２アミノ酸残基の単離ペプチドであって、少なくとも６０％のアルギニン残基含量を有し、少なくとも１０〜２２個のアルギニン残基を含み、かつ神経保護活性を有する、単離ペプチド。
【請求項１４】
少なくとも８０％のアルギニン残基含量を有する、請求項１３に記載の単離ペプチド。
【請求項１５】
少なくとも９０％のアルギニン残基含量を有する、請求項１４に記載の単離ペプチド。
【請求項１６】
１０〜１８個のアルギニン残基を含むポリアルギニンペプチドである、請求項１３に記載の単離ペプチド。
【請求項１７】
配列番号７、８、９、１０、１１、１２、１３、１６、３０、３１、３２、３３、３４、３５、３６、３７、及び神経保護活性を有するこれらの機能性フラグメント又はアナログのうちのいずれか１つ以上からなる群から選択される、請求項１３〜１６のいずれか１項に記載の単離ペプチド。
【請求項１８】
他のポリペプチド内に含まれているか、又は他のポリペプチドに融合されている、請求項１３〜１７のいずれか１項に記載の単離ペプチド。
【請求項１９】
少なくとも１つのリンカー配列で互いに融合している、請求項１３〜１７のいずれか１項に記載の単離ペプチド。
【請求項２０】
Ｄ−アルギニン残基で構成されている、請求項１３〜１９のいずれか１項に記載の単離ペプチド。
【請求項２１】
前記単離ペプチドはＬ−アルギニン残基で構成されている、請求項１〜５のいずれか１項に記載の医薬組成物。
【請求項２２】
前記単離ペプチドはＤ−アルギニン残基及びＬ−アルギニン残基を混合状態で含む、請求項１〜５のいずれか１項に記載の医薬組成物。
【請求項２３】
１０μＭ未満のＩＣ５０レベルの神経保護活性を示す、請求項１３〜２０のいずれか１項に記載の単離ペプチド。
【請求項２４】
請求項１３〜１９のいずれか１項に記載のペプチドをコードする単離ポリヌクレオチドであって、前記単離ポリヌクレオチドの配列に相補的な配列、前記単離ポリヌクレオチドの配列とストリンジェントな条件下でハイブリダイズする配列、及び前記単離ポリヌクレオチドの配列との少なくとも６０％の相同性を有する配列を含み、前記単離ポリヌクレオチドは、請求項１３〜１９のいずれか１項に記載のペプチドをコードする単離核酸を含む、天然に存在しないポリヌクレオチド、人造の人工構築物、ｃＤＮＡ、又はベクターである、単離ポリヌクレオチド。
【請求項２５】
請求項２４に記載の単離ポリヌクレオチドを用いて形質転換された細胞。
【請求項２６】
配列番号７、８、９、１０、１１、１２、１３、１６、３０、３１、３２、３３、３４、３５、３６、３７、及び神経保護活性を有するこれらの機能性フラグメント又はアナログのうちのいずれか１つ以上を含む単離ペプチドの、神経の損傷を治療又は予防するための医薬組成物又は薬剤の製造における有効成分としての使用。
【請求項２７】
神経の損傷の治療又は予防のための、配列番号２２を含む単離ペプチドを有効成分として含有する医薬組成物。
【請求項２８】
神経の損傷の治療又は予防のための医薬組成物又は薬剤であって、請求項１３〜２０のいずれか１項に記載の単離ペプチド、配列番号２２を含むペプチド、又は請求項２４に記載のポリヌクレオチドを有効成分として含む医薬組成物又は薬剤。
【請求項２９】
神経の損傷が、虚血、周産期の低酸素性虚血、アルツハイマー病、ハンチントン舞踏病、多発性硬化症、パーキンソン病、筋萎縮性側索硬化症、卒中、末梢神経障害、脊髄損傷、及びてんかんのうちの１つ以上である、請求項２８に記載の医薬組成物又は薬剤。
【請求項３０】
薬学的に許容可能な担体、アジュバント、又はビヒクルを含む、請求項２８又は請求項２９に記載の医薬組成物又は薬剤。
【請求項３１】
少なくとも薬学的に許容可能であるか又は薬学的に有効な量の、請求項１３〜２０のいずれか１項に記載のペプチド、配列番号２２を含むペプチド、又は請求項２８〜３０のいずれか１項に記載の医薬組成物若しくは薬剤を有効成分として含む、神経の損傷を治療するか、又は神経細胞の生存を促進するための医薬組成物又は薬剤。
【請求項３２】
少なくとも薬学的に許容可能であるか又は薬学的に有効な量の、請求項１３〜２０のいずれか１項に記載のペプチド、配列番号２２を含むペプチド、又は請求項２８〜３０のいずれか１項に記載の医薬組成物若しくは薬剤を有効成分として含む、神経細胞死を阻害するための医薬組成物又は薬剤。
【請求項３３】
０．００１ｍｇ／ｋｇ〜５０ｍｇ／ｋｇで投与される、請求項３１又は請求項３２に記載の医薬組成物又は薬剤。
【請求項３４】
１つ以上の容器に入った請求項２８〜３０のいずれか１項に記載の医薬組成物又は薬剤と、該医薬組成物の適用に関わる指示及び情報のうち少なくともいずれか一方に関する取扱説明書又は情報小冊子とを含むキット。
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
骨盤・会陰部機能の病状の予防および／または治療のための薬物療法としての使用のための、有効成分としてのＰＡＲ１アンタゴニストと、少なくとも１種の薬学上許容可能な賦形剤とを含有する、医薬組成物。
【請求項２】
有効成分としてボラパクサールまたはアトパキサールまたはそれらの薬学上許容可能な塩の１つを含有する、請求項１に記載の医薬組成物。
【請求項３】
有効成分として３−（２−クロロ−フェニル）−１−［４−（４−フルオロ−ベンジル）−ピペラジン−１−イル］−プロペノンまたはその薬学上許容可能な塩の１つを含有する、請求項１に記載の医薬組成物。
【請求項４】
膀胱痛症候群を呈する患者のための、請求項１に記載の医薬組成物。
【請求項５】
ボラパクサールまたはアトパキサールまたはそれらの薬学上許容可能な塩の１つを含有する、請求項４に記載の使用のための医薬組成物。
【請求項６】
３−（２−クロロ−フェニル）−１−［４−（４−フルオロ−ベンジル）−ピペラジン−１−イル］−プロペノンまたはそれらの薬学上許容可能な塩の１つを含有する、請求項４に記載の医薬組成物。
【請求項７】
過活動膀胱症候群を呈する患者のための、請求項１に記載の医薬組成物。
【請求項８】
ボラパクサールまたはアトパキサールまたはそれらの薬学上許容可能な塩の１つを含有する、請求項７に記載の医薬組成物。
【請求項９】
３−（２−クロロ−フェニル）−１−［４−（４−フルオロ−ベンジル）−ピペラジン−１−イル］−プロペノンまたはそれらの薬学上許容可能な塩の１つを含有する、請求項７に記載の医薬組成物。
【請求項１０】
尿失禁を呈する患者のための、請求項１に記載の医薬組成物。
【請求項１１】
慢性骨盤・会陰部痛を呈する患者のための、請求項１に記載の医薬組成物。
【請求項１２】
膀胱内投与形での使用のための、請求項１〜１１のいずれか一項に記載の医薬組成物。
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
一般式（Ｉ）：
【化１】
2016540749.tif 000001
［式中、
Ｒ１及びＲ’１は、独立して、水素、又はＣ１−Ｃ６アルキルであり；
Ｒ２は、Ｃ１−Ｃ６アルキルで置換されていてもよい、
【化２】
2016540749.tif 000002
である］の化合物、又はその薬学的に許容しうる塩を含む、好酸球性疾患の処置のための医薬組成物。
【請求項２】
Ｒ１及びＲ’１が、独立して、水素又はメチルであり、
Ｒ２が、
【化３】
2016540749.tif 000003
である、請求項１に記載の医薬組成物。
【請求項３】
一般式（Ｉ）の化合物、又はその薬学的に許容しうる塩が、以下の化合物：
【表１】
2016540749.tif 000004
からなる群から選択される、請求項１又は２に記載の医薬組成物。
【請求項４】
好酸球性疾患が、気管支喘息、アレルギー性鼻炎、ポリープ状鼻副鼻腔症、好酸球性結腸炎、好酸球性症候群、アレルギー性結膜炎、アトピー性皮膚炎、チャーグ−ストラウス症候群、アナフィラキシーショック、クインケ浮腫、好酸球性脈管炎、好酸球性食道炎、好酸球性胃腸炎、及び線維症からなる群から選択される、請求項１〜３のいずれか一項に記載の医薬組成物。
【請求項５】
好酸球性疾患を処置するための医薬を製造するための、一般式（Ｉ）：
【化４】
2016540749.tif 000005
［式中、
Ｒ１及びＲ’１は、独立して、水素、又はＣ１−Ｃ６アルキルであり；
Ｒ２は、Ｃ１−Ｃ６アルキルで置換されていてもよい、
【化５】
2016540749.tif 000006
である］の化合物、又はその薬学的に許容しうる塩の使用。
【請求項６】
Ｒ１及びＲ’１が、独立して、水素又はメチルであり、
Ｒ２が、
【化６】
2016540749.tif 000007
である、請求項５に記載の使用。
【請求項７】
一般式（Ｉ）の化合物、又はその薬学的に許容しうる塩が、以下の化合物：
【表２】
2016540749.tif 000008
からなる群から選択される、請求項５又は６に記載の使用。
【請求項８】
好酸球性疾患が、気管支喘息、アレルギー性鼻炎、ポリープ状鼻副鼻腔症、好酸球性結腸炎、好酸球性症候群、アレルギー性結膜炎、アトピー性皮膚炎、チャーグ−ストラウス症候群、アナフィラキシーショック、クインケ浮腫、好酸球性脈管炎、好酸球性食道炎、好酸球性胃腸炎、及び線維症からなる群から選択される、請求項５〜７のいずれか一項に記載の使用。
【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
下記式(I)
【化１】
2016540742.tif 000001
（式中、
R1は、-C1-3アルキル又は-C1-3ハロアルキルであり；
R2は、水素及び-C1-3アルキルから選択され、或いは
R2は、4〜7員ヘテロシクロアルキルから選択され、ここで、前記ヘテロシクロアルキル基は任意かつ独立に-C1-3アルキル、-C(O)(C1-3アルキル)2及び-S(O)2(C1-3アルキル)2から独立に選択される1つ以上の基で置換されていてもよく；
R3は、ハロゲン、-C1-2ハロアルキル、-O-C1-3アルキル、-O-C1-3ハロアルキル、4〜7員ヘテロシクロアルキル、-C3-7シクロアルキルから独立に選択される1つ以上の基で置換された-C1-4アルキルであり；
X3は-CH=又は-N=であり；
X4は-CR4=又は-N=であり；
X5は-CR5=又は-N=であり；
X6は-CH=又は-N=であり；
ここで、X3〜X6のどれも-N=でないことがあり、又は1又は2個のX3〜X6が-N=であってよく；
R4は、水素、ハロゲン、-CN、-NH2、-O-C1-3アルキル、-N(C1-3アルキル)2、-C(O)N(C1-3アルキル)2及び-C1-5アルキルから選択され、ここで、前記-C1-5アルキル基は任意かつ独立にハロゲン又は-CNから独立に選択される1つ以上の基で置換されていてもよく、或いはR4は、4〜7員ヘテロシクロアルキルから選択され、ここで、前記ヘテロシクロアルキル基は任意かつ独立に-C1-3アルキルから独立に選択される1つ以上の基で置換されていてもよく、或いは
R4は-C3-6シクロアルキルであり、ここで、前記シクロアルキル基は任意かつ独立にC1-3アルキル、-C1-3ハロアルキル及びハロゲンから独立に選択される1つ以上の基で置換されていてもよく；
R5は、水素、ハロゲン、-N(C1-3アルキル)2から選択され、或いは
R5は、4〜7員ヘテロシクロアルキルから選択され、ここで、前記ヘテロシクロアルキル基は任意かつ独立に-C1-3アルキルから独立に選択される1つ以上の基で置換されていてもよく；
ここで、R4とR5が両方とも水素であることはなく；
或いはX4が-CR4であり、かつX5が-CR5であるときは、R4とR5が一緒に下記タイプの5員ヘテロシクロアルキル：
【化２】
2016540742.tif 000002
を形成することがあり；
R7は、-C1-3アルキル、及び-C1-3ハロアルキルから選択され；
R8は、-C1-3アルキル、及び-C1-3ハロアルキルから選択され；
R9は、-C1-3アルキル、及び-C1-3ハロアルキルから選択される）
の化合物（式(I)の前記化合物は任意に塩の形で存在してもよい）。
【請求項２】
下記式(Ia)
【化３】
2016540742.tif 000003
（式中、R1、R2、R3、X4及びX5は、請求項1の定義どおりである）
の請求項1に記載の化合物。
【請求項３】
R2が、水素、イソプロピル、メチル又はピペリジンであり、前記ピペリジンはメチル又は-SO2CH3でN置換されている、請求項1又は2に記載の化合物。
【請求項４】
R2がイソプロピル又はメチルである、請求項1〜3のいずれか1項に記載の化合物。
【請求項５】
R3が、-O-C1-3アルキル、-C1-2ハロアルキル、-C3-7シクロアルキル及び5員ヘテロシクロアルキルから選択される1つの基で置換された-C1-4アルキルから選択される、請求項1〜4のいずれか1項に記載の化合物。
【請求項６】
R3が、-(CH2)2-O-CH3、-CH(CH3)-CH2-O-CH3、-(CH2)2-O-CH(CH3)2、-(CH2)2-O-CH2-CH3、-CH2-テトラヒドロフラン、-CH(CH3)-CH2-シクロプロピル及び-CH(CH3)-CH2-CF3から選択される、請求項5に記載の化合物。
【請求項７】
R4が、水素、-C1-3アルキル、NH2、及び6員ヘテロシクロアルキルから選択され、前記ヘテロシクロアルキルは、任意に1つのメチルで置換されていてもよい、請求項1〜6のいずれか1項に記載の化合物。
【請求項８】
R4が、水素、-CH(CH3)2、NH2、テトラヒドロピラン及びモルホリンから選択され、前記モルホリンは、任意に1つのメチルで置換されていてもよい、請求項7に記載の化合物。
【請求項９】
R5が水素又はモルホリンである、請求項1〜8のいずれか1項に記載の化合物。
【請求項１０】
X4が-CR4であり、かつX5が-CR5であり、R4とR5が一緒になって下記基
【化４】
2016540742.tif 000004
（ここで、R9は-C1-3アルキルから選択される）
を形成している、請求項1〜6のいずれか1項に記載の化合物。
【請求項１１】
X4が-CR4であり、かつX5が-CR5であり、R4とR5が一緒になって下記基
【化５】
2016540742.tif 000005
を形成している、請求項10に記載の化合物。
【請求項１２】
X5が窒素である、請求項1〜8のいずれか1項に記載の化合物。
【請求項１３】
X5が-CH-である、請求項1〜8のいずれか1項に記載の化合物。
【請求項１４】
下記化合物
【化６】
2016540742.tif 000006
2016540742.tif 000007
2016540742.tif 000008
2016540742.tif 000009
（前記化合物は、任意に塩の形で存在してもよい）
から選択される、請求項1の化合物。
【請求項１５】
がんの治療及び／又は予防で使用するための請求項1〜14のいずれか1項に記載の化合物、又はその医薬的に許容できる塩を含む医薬組成物。
【請求項１６】
請求項1〜14のいずれか1項に記載の化合物、又はその医薬的に許容できる塩を含む医薬組成物。
【手続補正書】
【提出日】平成29年11月17日(2017.11.17)
【手続補正１】
【補正対象書類名】明細書
【補正対象項目名】０００９
【補正方法】変更
【補正の内容】
【０００９】
意外なことに、上述の目的は、１〜７０モル％の量の、式（Ｉ）で表される少なくとも１つのモノマー
【化１】
2016540075.tif 000001
（式中、ｎは３である）
及び
３０〜９９モル％の量の、式（II）で表される少なくとも１つのモノマー
【化２】
2016540075.tif 000002
の重合により得られるランダムコポリマーによって、大いに達成し得ることが見出された。
【手続補正２】
【補正対象書類名】明細書
【補正対象項目名】００１３
【補正方法】変更
【補正の内容】
【００１３】
本発明のコポリマーは、重合により製造することができる。より正確には、本発明のコポリマーは、例えば、以下の実施例、若しくはＵＳ４，１７０，５８２、ＵＳ２００９／０２３４０６２又はＵＳ７，６８７，５５４に記載され、界面活性剤を使用しないエマルジョン重合及びミニエマルジョン重合に例示されているような公知の重合法を用いることにより調製することができる。
本発明のコポリマーの適当な調製法は、式（Ｉ）及び（ＩＩ）で表されるモノマーと開始剤とを混合すること；又は予備混合を行うために式（Ｉ）及び（ＩＩ）で表されるモノマーと水と開始剤とを混合すること；又は分離予備混合、並びに開始剤及び適当な溶媒とは別に予備混合を行うために、式（Ｉ）及び（ＩＩ）で表されるモノマーと水とを混合することを含んでなる。第２段階において、予備混合物は水に添加され、ここで、モノマーはポリマーを得るために重合される。重合時間は、温度及び所望の最終生成物の特性によるが、好ましくは、２５℃〜１００℃、より好ましくは５０℃〜９０℃の範囲の温度で、０．５〜１０時間の範囲である。
【手続補正３】
【補正対象書類名】明細書
【補正対象項目名】００２６
【補正方法】変更
【補正の内容】
【００２６】
好ましいスルホナートは、例えば、炭素数１０〜２０のアルキル基を有するアルキルベンゼンスルホナート、炭素数８〜１８のアルキル基を有するアルキルスルフェート、炭素数８〜１８のアルキル基を有するアルキルエーテルスルフェート、及び炭素数８〜１８のアルキル基を有する、パーム油又は獣脂由来の脂肪酸塩である。アルキルエーテルスルフェートに添加されるエチレンオキシド単位の平均モル数は１〜２０、好ましくは１〜１０である。アニオン性界面活性剤中のカチオンは、好ましくはアルカリ金属カチオン、特にナトリウム又はカリウム、より特にナトリウムである。好ましいカルボキシレートは、式Ｒ１９’−ＣＯＮ（Ｒ２０’）ＣＨ２ＣＯＯＭ１（式中、Ｒ１９’はＣ９−Ｃ１７アルキル又はＣ９−Ｃ１７アルケニルであり、Ｒ２０’はＣ１−Ｃ４アルキルであり、Ｍ１はアルカリ金属、特にナトリウムである）で表されるアルカリ金属サルコシネートである。
【手続補正４】
【補正対象書類名】明細書
【補正対象項目名】００３８
【補正方法】変更
【補正の内容】
【００３８】
特に好ましくは、ｄが整数１のポリホスホネートである。
【手続補正５】
【補正対象書類名】明細書
【補正対象項目名】００４０
【補正方法】変更
【補正の内容】
【００４０】
ペルオキシド漂白剤化合物は、単独若しくはペルオキシ酸漂白剤前駆体及び／又は漂白触媒と併せて利用してよい。ペルオキシ酸前駆体は、漂白活性剤と称される場合がある。適当な漂白活性剤は、Ｏ−及び／又はＮ−アシル基及び／又は非置換又は置換ベンゾイル基を有する漂白活性剤を含む。ポリアシル化アルキレンジアミン、特にテトラアセチルエチレンジアミン（ＴＡＥＤ）；アシル化グリコルリル、特にテトラアセチルグリコールウレア（ＴＡＧＵ）、Ｎ，Ｎ−ジアセチル−Ｎ，Ｎ−ジメチルウレア（ＤＤＵ）；ナトリウム−４−ベンゾイルオキシベンゼンスルホナート（ＳＢＯＢＳ）；ナトリウム−１−メチル−２−ベンゾイルオキシベンゼン−４−スルホナート：ナトリウム−４−メチル−３−ベンゾールオキシベンゾエート；トリメチルアンモニウムトルイルオキシ−ベンゼンスルホナート；アシル化トリアジン誘導体、特に１，５−ジアセチル−２，４−ジオキソヘキサヒドロ−１，３，５−トリアジン（ＤＡＤＨＴ）；式（１０）で表される化合物：
【化５】
2016540075.tif 000003
（式中、Ｒ２２はスルホナート基、カルボン酸基又はカルボキシレート基であり、Ｒ２１は直鎖又は分岐（Ｃ７−Ｃ１５）アルキル、特に名称ＳＮＯＢＳ、ＳＬＯＢＳ及びＤＯＢＡで公知の活性剤である）が好ましく；ペルオキシドを有するパーイミン酸を形成するニトリル化合物も漂白活性剤として考えられる。これらの漂白活性剤は、組成物の総重量に基づいて、１２重量％以下、好ましくは２〜１０重量％の量で使用してよい。
【手続補正書】
【提出日】平成29年8月3日(2017.8.3)
【手続補正１】
【補正対象書類名】特許請求の範囲
【補正対象項目名】全文
【補正方法】変更
【補正の内容】
【特許請求の範囲】
【請求項１】
シス−１，４−ポリブタジエンとシンジオタクチック１，２−ポリブタジエンのブレンドを調製するプロセスであって、
（ｉ）１，３−ブタジエンを、ランタニド系触媒の存在下で重合させて、シス−１，４−ポリブタジエンを含む重合混合物を形成する工程と、
（ｉｉ）１，３−ブタジエンを、コバルト系触媒の存在下で、シス−１，４−ポリブタジエンを含む該重合混合物内で重合させて、シンジオタクチック１，２−ポリブタジエンを形成することにより、シス−１，４−ポリブタジエンとシンジオタクチック１，２−ポリブタジエンのブレンドを生成する工程と、含む、プロセス。
【請求項２】
前記ランタニド系触媒は、（ａ）ランタニド含有化合物と、（ｂ）アルキル化剤と、（ｃ）ハロゲン源と、を含む、請求項１に記載のプロセス。
【請求項３】
前記１，３−ブタジエンを、ランタニド系触媒の存在下で重合させる工程は、重合調節物の存在下で行われる、請求項１に記載のプロセス。
【請求項４】
前記ハロゲン源は臭素含有化合物を含み、前記重合調節物はアミン化合物を含む、請求項３に記載のプロセス。
【請求項５】
前記コバルト系触媒は、（ａ）コバルト含有化合物と、（ｂ）二硫化炭素と、（ｃ）有機アルミニウム化合物と、を含む、請求項１に記載のプロセス。
【請求項６】
前記コバルト系触媒は、（ａ）コバルト含有化合物と、（ｂ）二硫化炭素と、（ｃ）有機アルミニウム化合物と、を含み、前記１，３−ブタジエンを、コバルト系触媒の存在下で重合させる工程は、ランタニド化合物１ミリモル当たり、約１〜約１０ミリモルのコバルト含有化合物を用いる、請求項２に記載のプロセス。
【請求項７】
前記コバルト系触媒は、（ａ）コバルト含有化合物と、（ｂ）二硫化炭素と、（ｃ）有機アルミニウム化合物と、を含み、前記１，３−ブタジエンを、コバルト系触媒の存在下で重合させる工程は、ランタニド化合物１ミリモル当たり約２〜約１００ミリモルのコバルト含有化合物を用いる、請求項２に記載のプロセス。
【請求項８】
前記１，３−ブタジエンを、ランタニド系触媒の存在下で重合させる工程は、重合混合物内で行われ、該重合混合物は、総重量に対して、溶媒を２０重量パーセント未満含む、請求項１に記載のプロセス。
【請求項９】
前記１，３−ブタジエンを、コバルト系触媒の存在下で重合させる工程は、重合混合物内で行われ、該重合混合物は、総重量に対して、溶媒を２０重量パーセント未満含む、請求項１に記載のプロセス。
【請求項１０】
請求項１に記載のプロセスで調製されたシス−１，４−ポリブタジエンとシンジオタクチック１，２−ポリブタジエンのブレンドと、充填剤と、硬化剤と、を含む、加硫性組成物。
【請求項１１】
請求項１０に記載の加硫性組成物を用いて調製された、タイヤ部品。
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
ホモアリル化合物２をシクロプロピルビニル前駆体１からブレンステッド酸ＨＱの存在下で生成する方法であって、
【化１】
2016540036.tif 000001
ここで、ブレンステッド酸ＨＱは、Ｒ’ＣＯ２Ｈおよび／またはＨＣｌ、ＨＢｒもしくはＨＩから選択されたハロゲン化水素から選択され、ここでＲはＣ１〜３０環状、多環式もしくは非環式アルキル残基、またはアリールもしくはポリアリール残基であり、その各々は、飽和または不飽和、分枝状または直鎖状および置換または非置換であってもよく；Ｒ’は、Ｃ１〜３０アルキルまたはアリール残基であり、それは直鎖状または分枝状であってもよく、置換または非置換であってもよく、かつここでＱは、Ｒ’ＣＯ２および／またはハロゲン原子である、
前記方法。
【請求項２】
【化２】
2016540036.tif 000002
転位生成物２の加水分解による、請求項１に記載のホモアリルアルコールを生成する方法。
【請求項３】
Ｅ／Ｚ比率が７０：３０より大きく、より特定的に７５：２５より大きく；なおより特定的に８０：２０より大きい、請求項２に記載のホモアリルアルコールを生成する方法。
【請求項４】
残基Ｒが炭素−炭素不飽和を含む、請求項１〜３のいずれか一項に記載の方法。
【請求項５】
基質１がポリプレノイド
【化３】
2016540036.tif 000003
式中、ｎは１、２または３である、
である、請求項１〜４のいずれか一項に記載の方法。
【請求項６】
基質１がシクロプロパン化ファルネセンである、請求項５に記載の方法。
【請求項７】
Ambroxを生成する方法であって、請求項１〜６のいずれか一項に記載の方法に従ってＥ，Ｅ−ホモファルネソールを生成し、このようにして生成したＥ，Ｅ−ホモファルネソールを、細菌酵素スクワレンホペンシクラーゼを使用して環化するステップを含む、前記方法。
【請求項８】
転位生成物２’のエステル交換および／または求核置換により、一般的構造２のエステルにし、前記エステルを水性塩基で加水分解して一般的構造３のホモアリルアルコールにする、請求項１に記載のホモアリルアルコールを生成する方法。
【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
式１：
【化１】
2016540015.tif 000001
（式中、Ｒ１、Ｒ２およびＲ３はそれぞれ独立して、フラン−２−イル、フラン−３−イル、フラン−４−イル、４−ハロベンジル、３−ハロベンジル、５−ハロベンジル、ジハロベンジル、トリハロベンジル、テトラハロベンジル、ペンタハロベンジル、
【化２】
2016540015.tif 000002
からなる群より選択され；
ハロは、フルオロ、クロロ、ブロモまたはヨードであり；
ただし、Ｒ３がフラニルである場合、Ｒ１は、
【化３】
2016540015.tif 000003
であり得ない）の構造を有する化合物。
【請求項２】
Ｒ１が
【化４】
2016540015.tif 000004
であり、
Ｒ３が
【化５】
2016540015.tif 000005
またはフラニルであり、
Ｒ２が
【化６】
2016540015.tif 000006
、フラニル、
【化７】
2016540015.tif 000007
、および
【化８】
2016540015.tif 000008
からなる群より選択される、請求項１に記載の化合物。
【請求項３】
癌を治療するための医薬組成物であって、式１：
【化９】
2016540015.tif 000009
（式中、Ｒ１、Ｒ２およびＲ３はそれぞれ独立して、フラン−２−イル、フラン−３−イル、フラン−４−イル、４−ハロベンジル、３−ハロベンジル、５−ハロベンジル、ジハロベンジル、トリハロベンジル、テトラハロベンジル、ペンタハロベンジル、
【化１０】
2016540015.tif 000010
からなる群より選択され；
ハロは、フルオロ、クロロ、ブロモまたはヨードである）
の構造を有する化合物を含む、医薬組成物。
【請求項４】
Ｒ１が
【化１１】
2016540015.tif 000011
であり、
Ｒ３が
【化１２】
2016540015.tif 000012
またはフラニルであり、
Ｒ２が
【化１３】
2016540015.tif 000013
、フラニル、
【化１４】
2016540015.tif 000014
、および
【化１５】
2016540015.tif 000015
からなる群より選択される、請求項３に記載の医薬組成物。
【請求項５】
式１：
【化１６】
2016540015.tif 000016
（式中、Ｒ１、Ｒ２およびＲ３はそれぞれ独立して、フラン−２−イル、フラン−３−イル、フラン−４−イル、４−ハロベンジル、３−ハロベンジル、５−ハロベンジル、ジハロベンジル、トリハロベンジル、テトラハロベンジル、ペンタハロベンジル、
【化１７】
2016540015.tif 000017
からなる群より選択され；
ハロは、フルオロ、クロロ、ブロモまたはヨードである）
の構造を有する有効量の化合物の使用であって、
癌を治療するための医薬の製造における、前記化合物の使用。
【請求項６】
Ｒ１が
【化１８】
2016540015.tif 000018
であり、
Ｒ３が
【化１９】
2016540015.tif 000019
またはフラニルであり、
Ｒ２が
【化２０】
2016540015.tif 000020
、フラニル、
【化２１】
2016540015.tif 000021
、および
【化２２】
2016540015.tif 000022
からなる群より選択される、請求項５に記載の使用。
【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
（ａ）フマル酸ジメチル、（ｂ）単糖、二糖、デンプンおよびデンプン誘導体、カルシウムおよびマグネシウム無機塩、糖アルコール、およびその混合物から選ばれる希釈剤、（ｃ）微結晶性セルロース、並びに（ｄ）クロスカルメロースナトリウムを含み、フマル酸ジメチルが胃耐性コーティングで覆われていない、医薬組成物。
【請求項２】
希釈剤（ｂ）が、ラクトース、Ｄ−グルコース（デキストロース）、スクロース、フルクトース、ガラクトース、デンプン、炭酸カルシウム、リン酸水素カルシウム、硫酸カルシウム、炭酸マグネシウム、イソマルト、マンニトール、マルチトール、ソルビトール、キシリトール、およびその混合物から選ばれる、請求項１に記載の医薬組成物。
【請求項３】
希釈剤（ｂ）が、フルクトース、ラクトース、リン酸水素カルシウム、マンニトール、およびその混合物から選ばれる、請求項１または請求項２に記載の医薬組成物。
【請求項４】
（ａ）フマル酸ジメチル、（ｂ）ラクトース、（ｃ）微結晶性セルロース、および（ｄ）クロスカルメロースナトリウムを含む、請求項１〜３のいずれか一項に記載の医薬組成物。
【請求項５】
さらに（ｅ）少なくとも１つの流動促進剤を含む、請求項１〜４のいずれか一項に記載の医薬組成物。
【請求項６】
流動促進剤（ｅ）が、リン酸カルシウム、ケイ酸カルシウム、粉末セルロース、ケイ酸マグネシウム、三ケイ酸マグネシウム、二酸化ケイ素、タルク、コロイド状シリカ、コロイド状無水シリカ、およびその混合物から選ばれる、請求項５に記載の医薬組成物。
【請求項７】
さらに（ｆ）少なくとも１つの滑沢剤を含む、請求項１〜６のいずれか一項に記載の医薬組成物。
【請求項８】
滑沢剤（ｆ）が、ステアリン酸マグネシウム、ステアリン酸カルシウム、フマル酸ステアリルナトリウム、ポリエチレングリコール、ラウリル硫酸ナトリウム、ラウリル硫酸マグネシウム、安息香酸ナトリウム、安息香酸カリウム、軽油、硬化植物油、モノステアリン酸グリセリン、ベヘン酸グリセリル、パルミトステアリン酸グリセリル、ステアリン酸、ステアリン酸亜鉛、およびその混合物から選ばれる、請求項７に記載の医薬組成物。
【請求項９】
（ｃ）微結晶性セルロースの（ｂ）希釈剤に対する重量比が２：５〜５：２の範囲内である、請求項１〜８のいずれか一項に記載の医薬組成物。
【請求項１０】
組成物が経口投与される、請求項１〜９のいずれか一項に記載の医薬組成物。
【請求項１１】
胃耐性（腸溶コート）錠の形態をとる、請求項１〜１０のいずれか一項に記載の医薬組成物。
【請求項１２】
コーティングされる前の錠剤の総重量に基づいて、
（ａ）２０〜３０重量％のフマル酸ジメチル；
（ｂ）ラクトース、Ｄ−グルコース（デキストロース）、スクロース、フルクトース、ガラクトース、デンプン、炭酸カルシウム、リン酸水素カルシウム、硫酸カルシウム、炭酸マグネシウム、イソマルト、マンニトール、マルチトール、ソルビトール、キシリトール、およびその混合物から選ばれる、２５〜３５重量％の希釈剤；
（ｃ）３５〜４５重量％の微結晶性セルロース；
（ｄ）１〜１０重量％のクロスカルメロースナトリウム
を含む、請求項１１に記載の医薬組成物。
【請求項１３】
さらに（ｅ）少なくとも１つの流動促進剤を含む、請求項１２に記載の医薬組成物。
【請求項１４】
さらに（ｆ）少なくとも１つの滑沢剤を含む、請求項１２または請求項１３に記載の医薬組成物。
【請求項１５】
コーティングされる前の錠剤の総重量に基づいて、
（ａ）２５重量％のフマル酸ジメチル；
（ｂ）３０重量％のラクトース；
（ｃ）４０重量％の微結晶性セルロース；
（ｄ）４重量％のクロスカルメロースナトリウム；
（ｅ）０．５重量％の少なくとも１つの流動促進剤；
（ｆ）０．５重量％の少なくとも１つの滑沢剤
を含む、請求項１２〜１４のいずれか一項に記載の医薬組成物。
【請求項１６】
炎症性または自己免疫性の疾患または障害、特に、リウマチ性関節炎、多発性硬化症（ＭＳ）、筋萎縮性側索硬化症、クローン病、潰瘍性大腸炎、全身性エリテマトーデス（ＳＬＥ）、重症筋無力症、急性播種性脳脊髄炎、特発性血小板減少性紫斑病、シェーグレン症候群、自己免疫性溶血性貧血（ＡＩＨＡ）、１型糖尿病または乾癬から選ばれる炎症性または自己免疫性の疾患または障害の治療または予防に用いるための、請求項１〜１５のいずれか一項に定義される医薬組成物。
【請求項１７】
炎症性または自己免疫性の疾患または障害、特に、リウマチ性関節炎、多発性硬化症（ＭＳ）、筋萎縮性側索硬化症、クローン病、潰瘍性大腸炎、全身性エリテマトーデス（ＳＬＥ）、重症筋無力症、急性播種性脳脊髄炎、特発性血小板減少性紫斑病、シェーグレン症候群、自己免疫性溶血性貧血（ＡＩＨＡ）、１型糖尿病または乾癬から選ばれる炎症性または自己免疫性の疾患または障害の治療または予防のための薬剤を製造するための、請求項１〜１５のいずれか一項に定義される医薬組成物の使用。
【手続補正２】
【補正対象書類名】明細書
【補正対象項目名】００１４
【補正方法】変更
【補正の内容】
【００１４】
米国特許第６，３５５，６７６号および米国特許第６，５０９，３７６号は、フマル酸ジメチルを含む腸溶コートマイクロタブレットまたはマイクロペレットの形態をとる医薬組成物について記載しており、当該マイクロタブレットまたはマイクロペレットのサイズまたは平均直径はそれぞれ、３００〜２，０００μｍの範囲内、特に５００または１，０００μｍの範囲内である。米国特許第６，３５５，６７６号および米国特許第６，５０９，３７６号によると、慣習の錠剤と比べて、マイクロタブレットは、消化管において改善された耐容性を示すことがある。